(57)【特許請求の範囲】
【請求項１】
左右に配置される横軸部を有するヘッドレストピラーと、
前記横軸部に固定されるロックブラケットと、
前記横軸部に対して前後方向に回動自在に取り付けられるヘッドレスト本体と、
前記ヘッドレスト本体を、前記ロックブラケットに対して複数の傾斜角度でロックするロック機構と、を備えており、
前記ロック機構は、
前記ロックブラケットを、左右の厚さ方向に貫通するとともに、前記ヘッドレスト本体の回動方向に沿って並設される複数のロック用係止部と、
前記ヘッドレスト本体のうち、前記並設された複数のロック用係止部上を通過する位置に形成されるピン貫通係止部と、
前記ピン貫通係止部を貫通した状態を保持しつつ、先端部が、前記複数のロック用係止部に抜き差しされるロックピン部と、このロックピン部と平行に配置されるとともに該ロックピン部を操作するためのシャフト部と、これらロックピン部とシャフト部とを連結する連結部とから構成されたロック部材と、を有しており、
前記ヘッドレストピラーの横軸部の軸心が、前記ヘッドレスト本体の回動中心軸とされており、前記シャフト部の軸心と、前記ロックピン部の軸心とを結ぶ直線の延長線上に、該横軸部の軸心が配置されていることを特徴とするヘッドレスト。
【請求項２】
前記複数のロック用係止部は、前記横軸部よりも前方に配置されていることを特徴とする請求項１に記載のヘッドレスト。
【発明の詳細な説明】
【技術分野】
【０００１】
本発明は、車両用シートに設けられるヘッドレストに関する。
【背景技術】
【０００２】
車両用シートのヘッドレストは、シート着座時における快適性の向上と、車両衝突時の頭部支持による安全性の向上等のために設けられている。
ヘッドレストにより得られる快適性や安全性は、ヘッドレストが乗員の頭部に対して適切な位置であることが重要となる。そこで、ヘッドレストピラーによるヘッドレストの高さ調整だけでなく、前後方向の位置も調整できる技術が開発されている（例えば、特許文献１参照）。
特許文献１に記載の技術は、ヘッドレストピラーの横軸部に、横軸部よりも小径のコイルバネを挿着し、コイルバネの他端を、中空状のヘッドレストフレーム（以下、ヘッドレスト本体）の内壁面に係止したものである。また、ヘッドレスト本体は、このヘッドレスト本体を貫通するヘッドレストピラーの横軸部に対して前後方向に回動自在に取り付けられている。
【先行技術文献】
【特許文献】
【０００３】
【特許文献１】特開平０８−１６４０３５号公報
【発明の概要】
【発明が解決しようとする課題】
【０００４】
ところで、特許文献１に記載のヘッドレスト本体は、コイルバネの一端をヘッドレスト本体内部で自由端とし、他端を内壁面に係止するため、さらに、ヘッドレストピラーの横軸部を貫通させるために中空状に形成されている。また、ヘッドレスト本体をヘッドレストピラーに取り付ける際は、横軸部が左右側壁の孔の位置に合うようにしながら、この横軸部を前側カバーと後側カバーとで挟み込むようにする。このため、ヘッドレスト本体に加えられる外力は、左右側壁を介して横軸部に確実に伝達されることになる。
しかし、ヘッドレスト本体に加えられた外力を横軸部に伝達する部分が左右側壁だけであるため、より効率良く外力を伝達できるようにしたいという要望があった。
【０００５】
本発明の課題は、ヘッドレスト本体に加えられた外力を、ヘッドレストピラーに対して確実かつ効率良く伝達することが可能なヘッドレストを提供することを目的とする。
【課題を解決するための手段】
【０００６】
以上の課題を解決するため、請求項１に記載の発明は、左右に配置される横軸部を有するヘッドレストピラーと、
前記横軸部に固定されるロックブラケットと、
前記横軸部に対して前後方向に回動自在に取り付けられるヘッドレスト本体と、
前記ヘッドレスト本体を、前記ロックブラケットに対して複数の傾斜角度でロックするロック機構と、を備えており、
前記ロック機構は、
前記ロックブラケットを、左右の厚さ方向に貫通するとともに、前記ヘッドレスト本体の回動方向に沿って並設される複数のロック用係止部と、
前記ヘッドレスト本体のうち、前記並設された複数のロック用係止部上を通過する位置に形成されるピン貫通係止部と、
前記ピン貫通係止部を貫通した状態を保持しつつ、先端部が、前記複数のロック用係止部に抜き差しされるロックピン部と、このロックピン部と平行に配置されるとともに該ロックピン部を操作するためのシャフト部と、これらロックピン部とシャフト部とを連結する連結部とから構成されたロック部材と、を有しており、
前記ヘッドレストピラーの横軸部の軸心が、前記ヘッドレスト本体の回動中心軸とされており、前記シャフト部の軸心と、前記ロックピン部の軸心とを結ぶ直線の延長線上に、該横軸部の軸心が配置されていることを特徴とする。
【０００７】
請求項２に記載の発明は、請求項１に記載のヘッドレストにおいて、
前記複数のロック用係止部は、前記横軸部よりも前方に配置されていることを特徴とする。
【発明の効果】
【０００８】
請求項１に記載の発明によれば、ロック部材のロックピン部は、ピン貫通係止部を貫通した状態を保持しつつ、先端部が、複数のロック用係止部に抜き差しされるので、このロックピン部を、複数のロック用係止部のいずれかに差し込んだ状態ではヘッドレスト本体の回動を停止させることができる。すなわち、ヘッドレスト本体の回動をロックできる。
そして、ヘッドレスト本体に加えられた外力は、ロックブラケットに対するヘッドレスト本体の回動をロックするロック部材に加えられる。ロックピン部とシャフト部とは平行に配置されているので、これらシャフト部の軸心と、ロックピン部の軸心とを結ぶ直線上に位置する連結部を介して、シャフト部とロックピン部との間で外力の伝達が行われる。さらに、シャフト部の軸心と、ロックピン部の軸心とを結ぶ直線の延長線上に横軸部の軸心が配置されているので、これら各軸心が一直線上に配置されることになる。すなわち、ヘッドレスト本体に加えられた外力を、ロックブラケットを介して一直線に横軸部に伝達できる。これによって、ヘッドレスト本体に加えられた外力を、従来に比して確実かつ効率良く横軸部に伝達することが可能となる。
また、シャフト部の軸心と、ロックピン部の軸心とを結ぶ直線の延長線上に配置された横軸部の軸心は、ヘッドレスト本体の回動中心軸とされているため、ヘッドレスト本体をどのような角度に傾斜させても、これら各軸心が一直線上に配置されるという位置関係は変わらないものとなる。したがって、ヘッドレスト本体をどのような角度に傾斜させても、ヘッドレスト本体に加えられた外力を、確実かつ効率良く横軸部に伝達することが可能となる。
【０００９】
請求項２に記載の発明によれば、複数のロック用係止部は、横軸部よりも前方に配置されているので、包囲部に形成されるピン貫通係止部と、横軸部とともに一直線上に配置されるシャフト部およびロックピン部を有するロック部材も、横軸部よりも前方に配置されることになる。しかも、ロックブラケットは、前方に傾斜して横軸部に固定されている。これによって、例えばロックブラケットが後方に傾斜し、複数のロック用係止部と、ピン貫通係止部と、ロック部材とが横軸部よりも後方に配置される場合に比して、ヘッドレスト本体に加えられた外力が後方に流れにくくなるので、ヘッドレスト本体に加えられた外力を、横軸部に、より確実かつ効率良く伝達させることができる。
【図面の簡単な説明】
【００１０】
【図１】ヘッドレストの一例を示す前方斜視図である。
【図２】同、後方斜視図である。
【図３】同、背面図である。
【図４】同、左側面図である。
【図５】同、右側面図である
【図６】ロック機構付近を示す拡大背面図である。
【図７】同、拡大側断面図である。
【図８】（ａ）はヘッドレスト本体を下端面側から見た図であり、（ｂ）はヘッドレスト本体の取付態様を示す図である。
【図９】ヘッドレスト本体が前後方向に回動する状態を説明する図である。
【図１０】包囲部とロックブラケットとの間にクリック機構が設けられる形態を示す断面図である。
【図１１】把持部とヘッドレストピラーの横軸部との間にクリック機構が設けられる形態を示す側面図である。
【図１２】ヘッドレストの一例を示す分解斜視図である。
【図１３】図１２に示すヘッドレストのヘッドレスト本体を示す後方斜視図である。
【図１４】底面カバー部とヘッドレストピラーの支柱との間にクリック機構が設けられる形態を示す図である。
【発明を実施するための形態】
【００１１】
以下、図面を参照して本発明の実施の形態について説明する。
【００１２】
＜第１の実施の形態＞
本実施の形態において符号１は、ヘッドレストを構成するヘッドレストピラーを示す。このヘッドレストピラー１は、図１および図２に示すように、左右に離間する一対の支柱１ａ，１ａと、これら一対の支柱１ａ，１ａの上端部間に架設される横軸部１ｂと、を有する。
これら一対の支柱１ａ，１ａと横軸部１ｂとは一体形成されており、これら一対の支柱１ａ，１ａと横軸部１ｂとの中間に位置する部位は屈曲形状を成している。
また、前記一対の支柱１ａ，１ａと横軸部１ｂとのうち、少なくとも横軸部１ｂは断面正円状に形成されている。
【００１３】
また、前記横軸部１ｂには、ロック機構を構成するためのロックブラケット４が、前方に傾斜して固定されている。
このロックブラケット４は金属製の板状体であり、図８〜図１０に示すように、基端部４ｃから上端部４ｄに向かうにつれて前後方向に広がるように形成されている。また、上端部４ｄには、複数のロック用係止部である複数のロック用孔２０…が形成されている。
また、基端部４ｃに、アーチ型の軸受け面を形成することによって、前記横軸部１ｂを把持するようにして該横軸部１ｂに設けられている。また、この基端部４ｃは横軸部１ｂに対して溶接等により強固に接合固定されている。
【００１４】
また、前記横軸部１ｂには、図２および図３に示すように、付勢部材３を取り付けるための取付部２，２が固定されている。なお、本実施の形態において、これら取付部２，２は、前記ロックブラケット４の左右両側に、該ロックブラケット４から離間し、かつ該ロックブラケット４から等しい間隔で配置されている。
なお、前記付勢部材３はコイルバネとされている。このため、前記取付部２，２は、フック状に形成されており、コイルバネ３の下端部を引掛けることができる。このコイルバネである付勢部材３は、後述するヘッドレスト本体５を横軸部１ｂ側に引き寄せる方向に付勢する引張バネである。
また、取付部２，２は、横軸部１ｂに対して溶接等により強固に接合固定されている。
【００１５】
さらに、前記横軸部１ｂには、図１〜図１１に示すように、ヘッドレストを構成するヘッドレスト本体５が、この横軸部１ｂに対して前後方向に回動自在となるように取り付けられている。すなわち、前記ヘッドレストピラー１の横軸部１ｂの軸心が、前記ヘッドレスト本体５の回動中心軸とされている。
また、このヘッドレスト本体５は樹脂製とされており、軽量化に貢献できるようになっている。さらに、このヘッドレスト本体５には、クッションパッドおよび表皮（いわゆるカバー）が被せられるようになっている。
このようなヘッドレスト本体５は、前面壁部６と、周面壁部７と、包囲部８と、把持部９と、保持部１０と、を有している。続いて、このヘッドレスト本体５の構成について説明する。
【００１６】
前記前面壁部６は、図４および図５に示すように、上下方向中央付近で前方に湾曲しており、湾曲部分よりも上方の前面壁部６上部は、下方の前面壁部６下部よりも幅広になるように形成されている。そして、湾曲部分よりも上方の前面壁部６上部が乗員の頭部を受ける部位とされる。また、前面壁部６下部は前方に傾斜して配置されており、これによって、前記前面壁部６上部を、前記ヘッドレストピラー１の横軸部１ｂよりも前方に配置させることができる。
また、前面壁部６には、この前面壁部６を厚さ方向に貫通する開口部６ａが、この前面壁部６の中央付近から下部にかけて形成されている。
さらに、この前面壁部６は、図２および図３に示すように、補強部６ｂ，６ｂと、補強部６ｃと、抱持部６ｄと、支持部６ｅと、取付部６ｆ，６ｆと、を備えている。
【００１７】
補強部６ｂ，６ｂは前面壁部６を補強するためのものであり、図１〜図３に示すように、乗員の頭部を受ける部分の背面側に設けられている。すなわち、前記前面壁部６上部の背面側に設けられている。
これら補強部６ｂ，６ｂは、前記前面壁部６の背面側から後方に突出するようにして形成されており、例えばビードやリブ等のように前面壁部６の背面側から突出することから、該前面壁部６の補強機能を備える。
なお、これら補強部６ｂ，６ｂは、ヘッドレスト本体５の製造段階で、前面壁部６と一体に成形されており、これに伴って、該補強部６ｂ，６ｂが位置する部位の前面壁部６の正面側には、それぞれ凹部が形成された状態となっている。
【００１８】
補強部６ｃは前面壁部６を補強するためのものであり、図２〜図６に示すように、前面壁部６の湾曲部分の背面側に配置され、後述する周面壁部７と包囲部８との間に架設されている。
この補強部６ｃは、前記前面壁部６の背面側から後方に突出するようにして形成されており、例えばビードやリブ等のように前面壁部６の背面側から突出することから、該前面壁部６の補強機能を備える。また、この補強部６ｃの内部には、該補強部６ｃを左右方向に貫通するとともに、前記周面壁部７を厚さ方向に貫通する貫通孔２１ａが形成されている。この貫通孔２１ａには、後述するロックピン部２２ａの先端部が挿入される。
なお、この補強部６ｃは、ヘッドレスト本体５の製造段階で、前面壁部６と一体に成形されており、これに伴って、該補強部６ｃが位置する部位の前面壁部６の正面側には凹部が形成された状態となっている。
【００１９】
抱持部６ｄは、図２，図３，図６，図７に示すように、前記前面壁部６の背面側に、前記補強部６ｃおよび包囲部８よりも上方に位置するようにして設けられている。
また、この抱持部６ｄは、前記前面壁部６の背面側から後方に突出するとともにアーチ型に形成されている。この抱持部６ｄのアーチの内側には、後述するシャフト部２２ｂが挿入される。すなわち、シャフト部２２ｂは、この抱持部６ｄによって抱持されたような状態となる。
なお、この抱持部６ｄは、ヘッドレスト本体５の製造段階で、前面壁部６と一体に形成されている。また、この抱持部６ｄが設けられる箇所には、前記前面壁部６を厚さ方向に貫通する開口部が形成されている。この抱持部６ｄは、この開口部の上縁と下縁との間でアーチ型に形成されており、シャフト部２２ｂを左右方向に挿入することができる。
また、この抱持部６ｄも、上述のように前記前面壁部６の背面側から後方に突出するようにして形成されているため、前記補強部６ｂや補強部６ｃと同様に、前記前面壁部６の補強機能を有しているものとする。
【００２０】
支持部６ｅは、図３，図６，図７に示すように、前記前面壁部６の背面側に、前記補強部６ｃおよび包囲部８よりも上方に位置するようにして設けられている。また、前記抱持部６ｄと隣り合うようにして配置されている。
また、この支持部６ｅは、前記前面壁部６の背面側から後方に突出するようにして形成されている。この支持部６ｅの突出方向側端面は、突出方向とは反対の方向に凹む曲面となるように形成されるとともに、この曲面は左右方向（シャフト部２２ｂの長さ方向）に連続しており、この曲面に沿ってシャフト部２２ｂを配置することができる。すなわち、支持部６ｅによってシャフト部２２ｂを支持することができる。また、この支持部６ｅに隣り合う前記抱持部６ｄでは、シャフト部２２ｂを抱持しているため、これら支持部６ｅと抱持部６ｄとでシャフト部２２ｂを挟み込んだ状態となっている。
なお、この支持部６ｅは、ヘッドレスト本体５の製造段階で、前面壁部６と一体に成形されている。また、この支持部６ｅの正面側には開口部および凹部が形成されていないが、適宜変更可能であることは言うまでもない。
また、この支持部６ｅも、上述のように前記前面壁部６の背面側から後方に突出するようにして形成されているため、前記補強部６ｂや補強部６ｃと同様に、前記前面壁部６の補強機能を有しているものとする。
【００２１】
取付部６ｆ，６ｆは、前記付勢部材３を取り付けるためのものであり、図２および図３に示すように、前記前面壁部６下部の背面側に設けられている。
また、取付部６ｆ，６ｆは、前記前面壁部６の背面側から後方に突出するとともにアーチ型に形成されており、前記付勢部材３の上端部を引掛けることができる。
なお、これら取付部６ｆ，６ｆは、ヘッドレスト本体５の製造段階で、前面壁部６と一体に成形されている。また、これら取付部６ｆ，６ｆが設けられる箇所には、前記前面壁部６を厚さ方向に貫通する開口部が形成されており、これら取付部６ｆ，６ｆは、開口部の上縁と下縁との間でアーチ型に形成されている。
また、これら取付部６ｆ，６ｆも、上述のように前記前面壁部６の背面側から後方に突出するようにして形成されているため、前記補強部６ｂや補強部６ｃと同様に、前記前面壁部６の補強機能を有しているものとする。
【００２２】
なお、これら取付部６ｆ，６ｆは、前記取付部２，２の上方にそれぞれ位置しており、上下方向に配置された取付部２と取付部６ｆとの間に付勢部材３が架け渡されている。すなわち、コイルバネである付勢部材３の下端部が前記取付部２に取り付けられており、上端部が前記取付部６ｆに取り付けられている。
そして、このように、横軸部１ｂに固定された取付部２，２と、ヘッドレスト本体５の前面壁部６の背面側に設けられた取付部６ｆ，６ｆとの間に、付勢部材３，３がそれぞれ架設されているので、これら付勢部材３，３によって、可動部分であるヘッドレスト本体５を後方付勢することができる。すなわち、ヘッドレスト本体５は、前後方向への回動がロックされない状態においては常に後方に戻るように設定されている。
【００２３】
前記周面壁部７は、図１〜図５に示すように、前記前面壁部６の外周縁部に沿って設けられるとともに、該前面壁部６と一体形成されている。また、この周面壁部７は、前記前面壁部６の背面側から後方に突出して形成されている。したがって、この周面壁部７も、前記補強部６ｂや補強部６ｃと同様に、前記前面壁部６の補強機能を有しているものとする。
また、この周面壁部７には、図２，図５，図６に示すように、後述するロック部材２２を挿通させるための挿入スリット７ａが形成されている。
また、この周面壁部７には、上述のように前記貫通孔２１ａが形成されるとともに、図２に示すように、シャフト部２２ｂの端部側を挿通させるための貫通孔７ｂが形成されている。なお、このシャフト部２２ｂの端部は、貫通孔７ｂに挿通されて、前記周面壁部７から外側に突出して設けられることになる。このように前記周面壁部７から突出するシャフト部２２ｂの端部には、図１〜図４に示すように、ボタン１１が取り付けられている。
【００２４】
前記包囲部８は、図２〜図６，図８〜図１１に示すように、前記ロックブラケット４を包囲するものであり、前記前面壁部６の背面側に、該背面側から後方に突出するようにして一体形成されている。つまり、前記ヘッドレスト本体５は、この包囲部８によってロックブラケット４を包囲した状態で、前記横軸部１ｂに対して前後方向に回動自在に取り付けられている。
この包囲部８は、一対の補強リブ８ａ，８ａと、ストッパー部８ｂ，８ｃ，８ｃと、を含んで構成されている。
【００２５】
一対の補強リブ８ａ，８ａは、前記前面壁部６の背面側から後方に向かって突出し、前記ロックブラケット４の左右両側面にそれぞれ対向している。
また、これら一対の補強リブ８ａ，８ａは、前記前面壁部６の中央付近から下部にかけて形成された開口部６ａの左右側縁部から後方に向かって突出して形成されている。したがって、これら一対の補強リブ８ａ，８ａは、前記開口部６ａの左右側縁部の形状に沿って形成されている。さらに、これら一対の補強リブ８ａ，８ａが、前記開口部６ａの左右側縁部に沿って設けられるため、開口部６ａから前記ロックブラケット４を前方に露出させることができる。
なお、これら一対の補強リブ８ａ，８ａのうち、一方の補強リブ８ａ側に前記補強部６ｃが設けられており、他方の補強リブ８ａ側に、後述するピン貫通孔２１が形成されている。
【００２６】
ストッパー部８ｂ，８ｃ，８ｃは、前記ヘッドレスト本体５の回動時に、前記ロックブラケット４の前端４ａと後端４ｂにそれぞれ当接するものであり、包囲部８の前側および後側に設けられている。なお、本実施の形態において、後側のストッパー部８ｃは複数設けられている。
前側のストッパー部８ｂは、前記一対の補強リブ８ａ，８ａの前面壁部６側端部間に架設されるとともに、前記前面壁部６と一体形成されている。すなわち、この前側のストッパー部８ｂは、前記開口部６ａを左右に横切るようにして前面壁部６と一体形成されている。
また、後側のストッパー部８ｃ，８ｃは、前記一対の補強リブ８ａ，８ａの後方突出側端部間に架設されるとともに、該一対の補強リブ８ａ，８ａと一体形成されている。後側のストッパー部８ｃ，８ｃのうち、一方のストッパー部８ｃは、背面視において包囲部８の中央付近に設けられており、他方のストッパー部８ｃは、背面視において包囲部８の下端部に設けられている。
【００２７】
包囲部８は、上述のように一対の補強リブ８ａ，８ａ間に複数のストッパー部８ｂ，８ｃ，８ｃを架設することによって形成されている。
また、前記一対の補強リブ８ａ，８ａは、前記開口部６ａの左右側縁部から後方に向かって突出して形成されているため、これら一対の補強リブ８ａ，８ａ間には隙間が形成されている。
また、この隙間は、前記ストッパー部８ｃ，８ｃによって複数に区切られている。そのうち、包囲部８の下端部に位置する隙間は、ロックブラケット４を、包囲部８の内部に差し込むための差込口８ｄとされている。また、上方の後側のストッパー部８ｃと下方の後側のストッパー部８ｃとの間に位置する隙間は符号８ｅで示されており、上方の後側のストッパー部８ｃよりも上方の隙間は符号８ｆで示されている。これら差込口８ｄおよび隙間８ｅ，８ｆからは、前記ロックブラケット４が露出している。
【００２８】
前記把持部９は、図１〜図５，図８，図１０，図１１に示すように、前記横軸部１ｂを把持するためのものであり、前記ヘッドレスト本体５の下端部に設けられており、下方に向かって開放されている（開放部９ａ）。また、この開放部９ａには、前記横軸部１ｂおよびロックブラケット４が差し込まれている。
また、この把持部９の上方には、前記包囲部８が配置されている。また、この把持部９に差し込まれたロックブラケット４は、この把持部９を通過して、前記包囲部８の差込口８ｄから包囲部８内部に差し込まれる。
【００２９】
なお、把持部９は、前記ヘッドレスト本体５の前面壁部６および周面壁部７の下端部を含んだ状態で構成されている。すなわち、周面壁部７の下端部に、前記横軸部１ｂおよびロックブラケット４を差込可能な形状のスリットを形成したものが前記開放部９ａとされている。
より詳細には、このスリットである開放部９ａは、前記周面壁部７のうち、左右いずれか一方側に位置する周面壁部７の下端部から、前面壁部６の下端部に沿って設けられる周面壁部７を介し、左右いずれか他方側に位置する周面壁部７の下端部まで形成されている。そして、左右両側の周面壁部７，７の下端部にて前記横軸部１ｂを把持している。
また、把持部９は、前記開放部９ａの一部として該開放部９ａの中央に、該開放部９ａの開放広さを拡張するための拡張部９ｂを備えている。この拡張部９ｂによって開放部９ａの中央付近の開放広さが拡張されることによって、前記ロックブラケット４を確実に把持部９および前記差込口８ｄに差し込むことができるようになっている。
【００３０】
また、把持部９は、この把持部９を構成する左右両側の周面壁部７，７間の位置に、前記横軸部１ｂを把持するアーチ型把持片９ｃ，９ｃを有している。また、これらアーチ型把持片９ｃ，９ｃは、前記取付部２，２よりも内側に、かつ該取付部２，２にそれぞれ隣接するようにして配置されている。
アーチ型把持片９ｃ，９ｃは、把持部９を構成する周面壁部７の下端面のうち、前記開放部９ａであるスリットの前面壁部６側に位置する部位と、後方側に位置する部位との間にアーチ型に架設形成されている。
なお、アーチ型把持片９ｃ，９ｃは、ヘッドレスト本体５の製造段階で、前面壁部６および周面壁部７と一体に成形されている。アーチ型把持片９ｃ，９ｃの前面壁部６側端部は、前面壁部６よりも肉厚に形成されており、該アーチ型把持片９ｃ，９ｃの肉厚部分が位置する部位の前面壁部６の正面側には、それぞれ凹部が形成された状態となっている。なお、本実施の形態の肉厚部分は略Ｌ字型に形成されており、前面壁部６の正面側に形成される凹部も略Ｌ字型となっている。
【００３１】
また、把持部９は、前記横軸部１ｂの長さ方向に沿って該横軸部１ｂの外周面を受けるとともに、継目のない状態で構成された軸受け面９ｄ…を備えている。
これら軸受け面９ｄ…は、前記周面壁部７のうち、前記横軸部１ｂを把持する左右両側の周面壁部７，７の下端部に位置する開放部９ａの内側面と、前記アーチ型把持片９ｃ，９ｃの内側面とを指している。したがって、これら軸受け面９ｄ…は、前記横軸部１ｂの長さ方向に沿って間隔をあけて配置された状態となっている。
【００３２】
前記保持部１０は、後述する付勢部材２３を保持するためのものであり、この付勢部材２３はコイルバネが採用されている。なお、このコイルバネである付勢部材２３は、該付勢部材２３を圧縮する方向に移動するロック部材２２（後述する）を、押し返す方向に付勢する押しバネである。
この保持部１０は、図２および図３，図６，図７に示すように、前記前面壁部６の背面側に、前記包囲部８および抱持部６ｄ付近に位置するようにして設けられている。また、保持部１０は、ヘッドレスト本体５の製造段階で、前面壁部６と一体に成形されており、これに伴って、該保持部１０が位置する部位の前面壁部６の正面側には凹部が形成された状態となっている。なお、この凹部の後端、すなわち保持部１０の前面壁部６からの突出端部には開口部が形成されており、この開口部を挟んで上方および下方に、後述する支持部１０ａ，１０ａがそれぞれ配置されている。
また、この保持部１０は、支持部１０ａ，１０ａと、当接部１０ｂと、引掛部１０ｃと、連結板部１０ｄと、を備えている。
【００３３】
支持部１０ａ，１０ａは、前記前面壁部６の背面側から後方に突出するようにして一体形成されており、コイルバネである前記付勢部材２３の外径部２３ａに当接するものである。そして、該付勢部材２３を前記前面壁部６から離間した位置に位置している。
すなわち、支持部１０ａの突出方向側端面は、前記付勢部材２３の外径部２３ａに合わせて凹む曲面となるように形成されるとともに、この曲面は左右方向（付勢部材２３の伸縮方向）に連続しており、この曲面に沿って付勢部材２３を配置することができる。
なお、前記連結板部１０ｄは、これら支持部１０ａ，１０ａ間に架設されており、これら支持部１０ａ，１０ａを部分的に連結している。連結板部１０ｄによって支持部１０ａ，１０ａを部分的に連結することができるので、これら支持部１０ａ，１０ａの剛性を向上させることができるので好ましい。
【００３４】
当接部１０ｂは、前記支持部１０ａ，１０ａと対向するとともに、前記コイルバネである付勢部材２３の伸縮方向に沿って設けられている。また、この当接部１０ｂは、前記付勢部材２３の内径部２３ｂに当接している。なお、この当接部１０ｂの付勢部材２３側面は、図７に示すように、付勢部材２３の内径部２３ｂ側に膨らむ曲面となるように形成されており、前記付勢部材２３の内径部２３ｂに密接する構成とされている。
より詳細には、この当接部１０ｂは棒状体であり、平面視において前記２つの支持部１０ａ，１０ａ間の隙間の延在方向に沿って設けられており、この当接部１０ｂによって、前記コイルバネである付勢部材２３を、前記支持部１０ａ，１０ａ間の隙間に向かって押さえているような状態となっている。
なお、この当接部１０ｂは、保持部１０の包囲部８側端部から周面壁部７側に向かって突出している。この当接部１０ｂの突出長さは、突出方向側端部が、前記付勢部材２３が最も圧縮した状態の包囲部８側端部の位置と略等しくなるか、または最も圧縮した状態の包囲部８側端部よりも若干、周面壁部７側よりとなるように設定されている。すなわち、付勢部材２３が最も圧縮した状態となっても、該付勢部材２３が当接部１０ｂから外れない程度の長さに設定されている。
【００３５】
引掛部１０ｃは、前記周面壁部７に、前記当接部１０ｂと対向するようにして設けられており、該周面壁部７から当接部１０ｂ側に若干突出するようにして形成されている。そして、この引掛部１０ｃは、前記付勢部材２３の周面壁部７側端部に引っ掛かった状態となっており、前記付勢部材２３の周面壁部７側端部が外れることを防ぐことができる。
なお、この引掛部１０ｃも前記当接部１０ｂと同様に、前記付勢部材２３の内径部２３ｂに当接しており、この引掛部１０ｃと前記支持部１０ａ，１０ａとの間に付勢部材２３のコイルが挟み込まれたような状態となっている。
【００３６】
なお、前記保持部１０を構成する支持部１０ａ，１０ａおよび当接部１０ｂは、該保持部１０の包囲部８側端部を基端部として一体形成されている。また、この保持部１０の基端部は、包囲部８と一体形成されている。
また、前記引掛部１０ｃは、前記周面壁部７と一体形成されている。
また、前記連結板部１０ｄは、前記支持部１０ａ，１０ａと一体形成されている。
以上のようにしてヘッドレスト本体５が構成されている。
【００３７】
続いて、ヘッドレストを構成し、前記ヘッドレスト本体５を、前記ロックブラケット４に対して複数の傾斜角度でロックするロック機構について説明する。
ロック機構は、図２〜図１０に示すように、複数のロック用孔２０…と、ピン貫通孔２１と、ロック部材２２と、前記付勢部材２３と、付勢ストッパー部２４とを有している。
【００３８】
前記複数のロック用孔２０…は、図８〜図１０に示すように、それぞれ、後述するロックピン部２２ａが挿入されるものであり、前記ロックブラケット４の上端部４ｄに、該ロックブラケット４を、左右の厚さ方向に貫通して形成されている。また、これら複数のロック用孔２０…は、前記ヘッドレスト本体５の回動方向に沿って並設されている。
なお、本実施の形態において、これら複数のロック用孔２０…は、前記ロックブラケット４に対して４つ形成されている。
【００３９】
ピン貫通係止部である前記ピン貫通孔２１は、図２および図３，図５〜図７に示すように、後述するロックピン部２２ａが挿入されるものであり、前記ヘッドレスト本体５の包囲部８のうち、前記並設された複数のロック用孔２０…上を通過する位置に形成されている。また、このピン貫通孔２１は、前記包囲部８を構成する一対の補強リブ８ａ，８ａのうち、前記補強部６ｃが設けられる補強リブ８ａとは反対側の補強リブ８ａに形成されている。
すなわち、この包囲部８に形成されたピン貫通孔２１と、包囲部８によって包囲されたロックブラケット４の各ロック用孔２０…とは、前記ヘッドレスト本体５の傾斜角度に応じて、互いに重なり合うように設定されている。
なお、ピン貫通孔２１は、前記補強部６ｃの内部に形成された貫通孔２１ａと、前記包囲部８を介して連続するようにして配置されている。つまり、これらピン貫通孔２１と貫通孔２１ａとの間に、前記複数のロック用孔２０…が位置するように設定されており、これらピン貫通孔２１と、ロック用孔２０と、貫通孔２１ａとに対して同時に、後述するロックピン部２２ａが挿入されることになる。
【００４０】
前記ロック部材２２は、図２および図３，図５〜図７，図９に示すように、ロックピン部２２ａと、シャフト部２２ｂと、連結部２２ｃと、から構成されている。
また、これらロックピン部２２ａと、シャフト部２２ｂと、連結部２２ｃとは一体形成されており、略Ｊ字型となるように構成されている。すなわち、ロック部材２２は、一本の金属棒を屈曲加工することにより形成されている。
また、このロック部材２２は、前記周面壁部７に形成された挿入スリット７ａから挿入される。
なお、本実施の形態では、ロック部材２２を一体形成したが、これに限られるものではなく、ロックピン部２２ａと、シャフト部２２ｂと、連結部２２ｃとを別体として形成した上で、これら各部材を適宜組み合わせるようにしても良い。
【００４１】
ロックピン部２２ａは、前記ピン貫通孔２１を貫通した状態を保持しつつ、先端部が、前記複数のロック用孔２０…に抜き差しされるものである。すなわち、このロックピン部２２ａの先端部は、ロック用孔２０から引き抜かれた際であっても、前記ピン貫通孔２１に挿入された状態となっており、差し込まれた際には、ピン貫通孔２１と、ロック用孔２０と、貫通孔２１ａとに挿入された状態となる。
【００４２】
シャフト部２２ｂは、前記ロックピン部２２ａと平行に配置されるとともに該ロックピン部２２ａを操作するためのものである。また、このシャフト部２２ｂは、前記ロックピン部２２ａよりも長尺に設定されている。
このシャフト部２２ｂは、ロック部材２２自体を前記挿入スリット７ａから挿入してから、前記抱持部６ｄのアーチの内側にも挿入されるとともに、前記支持部６ｅの突出方向側端面の曲面に載せられる。さらに、シャフト部２２ｂの端部が、前記挿入スリット７ａが形成された周面壁部７と対向する周面壁部７の貫通孔７ｂに挿入される。
なお、このシャフト部２２ｂの端部は、前記貫通孔７ｂを貫通した状態を保持しており、このシャフト部２２ｂの端部に、前記ボタン１１が取り付けられている。
【００４３】
連結部２２ｃは、前記ロックピン部２２ａとシャフト部２２ｂとを連結するためのものである。この連結部２２ｃは、前記ロックピン部２２ａの軸心と、シャフト部２２ｂの軸心とを結ぶ直線に沿って設けられている。
また、この連結部２２ｃは、前記付勢部材２３に当接するとともに、この付勢部材２３に付勢された状態で、後述する付勢ストッパー部２４に当接している。
【００４４】
ここで、図９に示すように、前記シャフト部２２ｂの軸心と、前記ロックピン部２２ａの軸心とを結ぶ直線の延長線上に、前記ヘッドレストピラー１の横軸部１ｂの軸心が配置されている。なお、このヘッドレストピラー１の横軸部１ｂの軸心は、上述のように前記ヘッドレスト本体５の回動中心軸とされている。
図９に示すように、ヘッドレスト本体５には、クッションパッドおよび表皮が被せられており、ヘッドレスト本体５の傾斜角度に応じて、乗員の後頭部に対するクッションパッドおよび表皮の接触部位が変化するように設定されている。また、クッションパッドおよび表皮の形状に応じても接触部位が変化する場合がある。このような場合であっても、各軸心が一直線上に配置されるという位置関係は変わらないように設定されているため、ヘッドレスト本体５に加えられた外力を、ロックブラケット４を介して一直線に横軸部１ｂに伝達できるようになっている。
なお、図９において、乗員の後頭部とクッションパッドおよび表皮との間に記載された「○」で示す４ヶ所の部位が、乗員の後頭部に対するクッションパッドおよび表皮の接触部位となっている。
【００４５】
また、前記複数のロック用孔２０…は、図９に示すように、前記横軸部１ｂよりも前方に配置されている。したがって、前記包囲部８に形成されたピン貫通孔２１と、横軸部１ｂとともに一直線上に配置されるシャフト部２２ｂおよびロックピン部２２ａを有するロック部材２２も、前記横軸部１ｂよりも前方に配置されることになる。
【００４６】
前記付勢部材２３は、前記保持部１０によって、前記前面壁部６の背面側に保持されるとともに前記ロック部材２２の連結部２２ｃに当接し、この連結部２２ｃを、前記ロックピン部２２ａが前記ピン貫通孔２１および複数のロック用孔２０…に差し込まれる方向に付勢するものである。また、この付勢部材２３によって、前記シャフト部２２ｂも付勢されており、前記貫通孔７ｂから抜けないように設定されている。
また、この付勢部材２３は、上述のようにコイルバネであり、特に、該コイルバネ２３が圧縮する方向に移動する前記ロック部材２２を、押し返す方向に付勢する押しバネである。
コイルバネ２３を形成する複数のコイルの外径部分を、コイルバネ２３の外径部２３ａと称し、複数のコイルの内径部分を、コイルバネ２３の内径部２３ｂと称する。
【００４７】
前記付勢ストッパー部２４は、前記付勢部材２３による付勢方向の先に設けられることによって、前記付勢部材２３によって押し返された連結部２２ｃが当接するものである。前記連結部２２ｃを挟んで、前記付勢部材２３とは反対側の位置に配置されている。すなわち、前記付勢部材２３によって付勢される連結部２２ｃが、この付勢部材２３によって付勢された方向に過剰に移動することを防ぐためのストッパーである。
また、この付勢ストッパー部２４は、前記保持部１０の基端部と一体形成されており、前記連結部２２ｃが当接する面は、この連結部２２ｃの外径部に合わせて凹んだ曲面とされている。
前記ヘッドレスト本体５を、ロック機構によってロックしている状態においては、前記連結部２２ｃは、前記付勢部材２３によって付勢ストッパー部２４に当接するように付勢されている。一方、前記シャフト部２２ｂを操作して、前記ロックピン部２２ａの先端部をロック用孔２０から抜き、ヘッドレスト本体５をアンロックしている状態においては、前記連結部２２ｃは、前記付勢ストッパー部２４から離間しており、前記付勢部材２３は圧縮した状態となる。
以上のようにしてロック機構が構成されている。
【００４８】
続いて、ヘッドレストを構成し、前記ヘッドレスト本体５の回動に伴ってクリック感を生起するクリック機構について説明する。
クリック機構は、図１０および図１１に示すように、突起部３０，３２と、凹凸係合部３１，３３と、を有している。なお、これら突起部３０，３２と凹凸係合部３１，３３とのうちの一方が、前記ヘッドレスト本体５に設けられており、他方が、前記ヘッドレストピラー１の横軸部１ｂまたはロックブラケット４に設けられている。
【００４９】
図１０においては、前記ヘッドレスト本体５の包囲部８とロックブラケット４との間にクリック機構が設けられる形態を示している。すなわち、前記突起部３０と凹凸係合部３１とのうちの一方が、前記包囲部８に設けられており、他方は、前記ロックブラケット４に設けられている。
【００５０】
図１０（ａ）に示すクリック機構においては、前記突起部３０が、前記包囲部８に設けられている。また、この突起部３０は、前記包囲部８から前記ロックブラケット４に向かって突出するようにして形成されている。
すなわち、前記突起部３０は、この突起部３０を包囲部８に取り付けるための天井部３０ａと一体形成されている。そして、前記包囲部８の上端部に形成された隙間８ｆの位置に、前記突起部３０と一体形成された天井部３０ａが、前記包囲部８と一体形成されるようにして設けられている。これによって、前記突起部３０を前記包囲部８に設けることができるようになっている。
【００５１】
前記凹凸係合部３１は、前記突起部３０が係合する複数の凹凸部３１ａ，３１ｂを前記ヘッドレスト本体５の回動方向に沿って連続して形成してなるものであり、前記ロックブラケット４の上端部４ｄに設けられている。
すなわち、凹凸係合部３１は、連続する凸部３１ａと凹部３１ｂとをロックブラケット４の上端部４ｄに一体形成することによって構成されている。
【００５２】
図１０（ｂ）に示すクリック機構においては、前記突起部３０が、前記ロックブラケット４の上端部４ｄに設けられている。すなわち、突起部３０は、前記ロックブラケット４の上端部４ｄに一体形成されており、このロックブラケット４の上端部４ｄから上方に向かって突出している。
【００５３】
前記凹凸係合部３１は、前記包囲部８に設けられている。また、この凹凸係合部３１は、前記包囲部８から前記ロックブラケット４側に、凸部３１ａおよび凹部３１ｂを向けるようにして形成されている。
すなわち、前記凹凸係合部３１は、この凹凸係合部３１を包囲部８に取り付けるための天井部３０ａと一体形成されている。そして、前記包囲部８の上端部に形成された隙間８ｆの位置に、前記凹凸係合部３１と一体形成された天井部３０ａが、前記包囲部８と一体形成されるようにして設けられている。これによって、前記凹凸係合部３１を前記包囲部８に設けることができるようになっている。
【００５４】
図１０（ａ）および（ｂ）に示すクリック機構のいずれにおいても、前記突起部３０が、前記凹凸係合部３１の複数の凸部３１ａ…を乗り越えて、この凸部３１ａに隣接する凹部３１ｂに係合するように動くことになる。そして、これに伴って、クリック感が生起するように構成されている。
また、このようなクリック機構は、前記ロック機構によってヘッドレスト本体５の回動にロックがかかる際に、前記突起部３０が、前記凹凸係合部３１の凸部３１ａを乗り越えて凹部３１ｂに係合するように設定されている。つまり、クリック機構とロック機構とが連動することになり、前記突起部３０が凹部３１ｂに係合する際に、ロックピン部２２ａを、複数のロック用孔２０…に差し込ませることができる。
【００５５】
図１１においては、前記ヘッドレスト本体５の把持部９とヘッドレストピラー１の横軸部１ｂとの間にクリック機構が設けられる形態を示している。すなわち、前記突起部３２と凹凸係合部３３とのうちの一方が、前記把持部９に設けられており、他方は、前記ヘッドレストピラー１の横軸部１ｂに設けられている。
【００５６】
図１１（ａ）に示すクリック機構においては、前記突起部３２が、前記把持部９の軸受け面９ｄに設けられている。また、この突起部３２は、前記把持部９の軸受け面９ｄから前記横軸部１ｂに向かって突出するようにして形成されている。なお、この突起部３２は、把持部９の軸受け面９ｄに一体形成されている。
【００５７】
前記凹凸係合部３３は、前記突起部３２が係合する複数の凹凸部３３ａ，３３ｂを前記横軸部１ｂの周方向、すなわち、ヘッドレスト本体５の回動方向に沿って連続して形成してなるものであり、前記横軸部の外周面に設けられている。なお、この凹凸係合部３３は、横軸部１ｂの外周面に一体的に設けられている。
【００５８】
図１１（ｂ）に示すクリック機構においては、前記突起部３２が、前記横軸部１ｂの外周面に設けられている。すなわち、突起部３２は、前記横軸部１ｂの外周面に一体的に設けられており、この横軸部１ｂの外周面から凹凸係合部３３に向かって突出している。
【００５９】
前記凹凸係合部３３は、前記把持部９の軸受け面９ｄに設けられている。また、この凹凸係合部３３は、前記把持部９の軸受け面９ｄから前記横軸部１ｂ側に、凸部３３ａおよび凹部３３ｂを向けるようにして形成されている。なお、この凹凸係合部３３は、把持部９の軸受け面９ｄに凹凸部３３ａ，３３ｂを形成することによって、該軸受け面９ｄに設けられている。
【００６０】
図１１（ａ）および（ｂ）に示すクリック機構のいずれにおいても、前記突起部３２が、前記凹凸係合部３３の複数の凸部３３ａ…を乗り越えて、この凸部３３ａに隣接する凹部３３ｂに係合するように動くことになる。そして、これに伴って、クリック感が生起するように構成されている。
また、このようなクリック機構は、前記ロック機構によってヘッドレスト本体５の回動にロックがかかる際に、前記突起部３２が、前記凹凸係合部３３の凸部３３ａを乗り越えて凹部３３ｂに係合するように設定されている。つまり、クリック機構とロック機構とが連動することになり、前記突起部３２が凹部３３ｂに係合する際に、ロックピン部２２ａを、複数のロック用孔２０…に差し込ませることができる。
なお、軸受け面９ｄは、把持部９に対して複数備えられているため、前記突起部３２および凹凸係合部３３は、これら複数の軸受け面９ｄ…のうち、少なくとも一つの軸受け面９ｄに設けられているものとする。
以上のようにしてクリック機構が構成されている。また、以上のようにしてヘッドレストが構成されている。
なお、本実施の形態においては、図１１（ａ）に示すクリック機構を採用する。ただし、これに限られるものではなく、適宜変更可能であることは言うまでもない。
【００６１】
次に、ヘッドレスト本体５を、ヘッドレストピラー１の横軸部１ｂに取り付ける方法について説明する。
図８（ｂ）に示すように、前記ヘッドレストピラー１の横軸部１ｂには、前記ロックブラケット４および取付部２，２が予め取り付けられている。なお、これらロックブラケット４および取付部２，２は、上述のように溶接等により、横軸部１ｂに対して強固に接合固定されている。
前記ヘッドレスト本体５には、前記ロック部材２２および付勢部材２３が取り付けられていない状態となっている。これに伴って、前記ボタン１１も取り付けられていない状態となっている。
【００６２】
まず、このようなヘッドレスト本体５を、前記ヘッドレストピラー１の横軸部１ｂに対して取り付ける。すなわち、ヘッドレスト本体５の下端部に設けられるとともに下方（横軸部１ｂ側）に向かって開放する開放部９ａに、前記横軸部１ｂおよびロックブラケット４を差し込むようにして、ヘッドレスト本体５を横軸部１ｂに取り付ける。
この時、ロックブラケット４を、前記包囲部８の下端部に形成された差込口８ｄから包囲部８内部に差し込むようにする。
また、前記開放部９ａに差し込まれた横軸部１ｂは、この開放部９ａを含んで構成された把持部９によって把持された状態となる。すなわち、把持部９に備えられた軸受け面９ｄ…によって、前記横軸部１ｂの長さ方向に沿って該横軸部１ｂの外周面を受けるようにする。
【００６３】
続いて、前記周面壁部７に形成された挿入スリット７ａから、前記ロック部材２２を挿入する。
前記シャフト部２２ｂは、前記抱持部６ｄのアーチの内側に挿入するとともに、前記支持部６ｅの突出方向側端面に載せるようにする。さらに、端部を差し込んでいき、周面壁部７に形成された貫通孔７ｂに挿通させる。
これと同時に、前記ロックピン部２２ａを、前記ピン貫通孔２１および複数のロック用孔２０…のいずれかに差し込むようにする。
そして、前記連結部２２ｃを付勢ストッパー部２４に当接させた状態まで、前記ロックピン部２２ａおよびシャフト部２２ｂを深く差し込むようにする。
【００６４】
続いて、コイルバネである付勢部材２３を保持部１０によって保持する。まず、付勢部材２３の連結部２２ｃ側端部を、該付勢部材２３を圧縮させたり弾性的に屈曲させたりしながら、前記一対の支持部１０ａ，１０ａと当接部１０ｂとの間に差し込む。また、付勢部材２３の周面壁部７側端部を前記引掛部１０ｃに引掛ける。
なお、本実施の形態においては、前記付勢部材２３の連結部２２ｃ側端部を取り付けてから、周面壁部７側端部を取り付ける手順としているが、これに限られるものではなく、周面壁部７側端部から取り付けるようにしても良い。また、その他の方法を採用して付勢部材２３を取り付けても良く、本発明の趣旨を逸脱しない範囲で適宜変更可能である。
【００６５】
続いて、前記横軸部１ｂに取り付けられた取付部２，２と、前記ヘッドレスト本体５の前面壁部６の背面側に設けられた取付部６ｆ，６ｆとの間に、前記付勢部材３，３を取り付ける。すなわち、付勢部材３，３の上端部を、前記取付部６ｆ，６ｆにそれぞれ引掛けるとともに、下端部を、前記取付部２，２にそれぞれ引掛ける。
なお、本実施の形態においては、付勢部材３よりも先に付勢部材２３を取り付ける手順を採用したが、これに限られるものではなく、付勢部材３から取り付ける手順を作用しても良いものとする。
以上のようにしてヘッドレスト本体５を、前記ヘッドレストピラー１の横軸部１ｂに取り付けることができる。
【００６６】
次に、以上のように構成されたヘッドレストの動作について説明する。
ヘッドレストの動作は、図９に示すように、前記ヘッドレストピラー１の横軸部１ｂに対して前後方向に回動自在に取り付けられたヘッドレスト本体５の前後方向への回動に基づくものである。
また、ヘッドレスト本体５は、前記付勢部材３，３によって、該ヘッドレスト本体５をヘッドレストピラー１の横軸部１ｂ側に引き寄せる方向に付勢されている。したがって、ヘッドレスト本体５が後方に引き寄せられるとともに、前記ロックピン部２２ａが、複数のロック用孔２０…のうちの最も後方にあるロック用孔２０に挿入された状態が、ヘッドレスト本体５の前後方向への回動の通常位置とされている。
【００６７】
ヘッドレスト本体５を前後方向に回動させる際は、前記ロック部材２２を操作する。すなわち、前記ロックピン部２２ａを、ピン貫通孔２１を貫通した状態を保持しつつ、先端部をロック用孔２０から抜くようにする。これによって、ロックが解除された状態となり、ヘッドレスト本体５を前後方向に回動させることができる。
ロックピン部２２ａの先端部をロック用孔２０から抜く際には、前記シャフト部２２ｂのボタン１１が取り付けられる端部を、該シャフト部２２ｂの軸方向に沿って付勢部材２３が圧縮する方向に押し込む。これによって、ロックピン部２２ａの先端部をロック用孔２０から抜くことができる。
この時、付勢部材２３は保持部１０に保持された状態で圧縮する。ボタン１１を押し込む操作を止めると、付勢部材２３によって連結部２２ｃが押し戻され、これに伴って、ロックピン部２２ａはロック用孔２０に差し込まれる方向に移動し、シャフト部２２ｂも元に戻ろうとする。
【００６８】
ロックピン部２２ａを最後方のロック用孔２０から抜き、ヘッドレスト本体５を、通常位置よりも後方に回転させた時には、ヘッドレスト本体５の前側のストッパー部８ｂが、ロックブラケット４の前端４ａに当接する。これによって、ヘッドレスト本体５の後方への回転を規制できるようになっている。
【００６９】
ヘッドレスト本体５を前方に一段階回転させるに際し、ロックピン部２２ａが最後方のロック用孔２０に差し込まれている状態から、二番目に後方に位置するロック用孔２０に差し込む場合は、まず、前記シャフト部２２ｂのボタン１１が取り付けられた端部を押し込み、ロックピン部２２ａの先端部を、最後方のロック用孔２０から抜く。
続いて、ヘッドレスト本体５を前方へ回転させる。
この時、図１１（ａ）に示すクリック機構の突起部３２が、前記凹凸係合部３３の凸部３３ａを乗り越えて、この凸部３３ａに隣接する凹部３３ｂに係合するように動き、これに伴って、クリック感が生起する。
また、このクリック機構とロック機構は連動しているため、前記突起部３２が、凸部３３ａを乗り越えるのと同時に、ロックピン部２２ａの先端部は、最後方のロック用孔２０と二番目に後方のロック用孔２０との間を移動する。さらに、前記突起部３２が、凹部３３ｂに係合するのと同時に、ロックピン部２２ａの先端部は、二番目に後方のロック用孔２０に差し込まれることになる。
この時、前記ロック部材２２の連結部２２ｃは、前記付勢部材２３によって付勢されているため、前記シャフト部２２ｂを操作せずとも、前記ロックピン部２２ａを付勢部材２３の付勢力によって自動的にロック用孔２０に差し込むことができる。
【００７０】
このようにしてヘッドレスト本体５を前方に一段階回転させることができる。
ロックピン部２２ａを、二番目に後方のロック用孔２０から、三番目に後方のロック用孔２０（すなわち、前方から二番目のロック用孔２０）に差し込む場合も同様であり、この三番目に後方のロック用孔２０から、最前方のロック用孔２０に差し込む場合も同様の動作となる。
【００７１】
ロックピン部２２ａを最前方のロック用孔２０から抜き、ヘッドレスト本体５を、より前方に回転させた時には、ヘッドレスト本体５の後側のストッパー部８ｃ，８ｃが、ロックブラケット４の後端４ｂに当接する。これによって、ヘッドレスト本体５の前方への回転を規制できるようになっている。
【００７２】
一方、ヘッドレスト本体５を後方に一段階回転させるに際し、ロックピン部２２ａが最前方のロック用孔２０に差し込まれている状態から、二番目に前方に位置するロック用孔２０に差し込む場合は、まず、前記シャフト部２２ｂのボタン１１が取り付けられた端部を押し込み、ロックピン部２２ａの先端部を、最前方のロック用孔２０から抜く。
続いて、ヘッドレスト本体５を後方へ回転させる。
この時、図１１（ａ）に示すクリック機構の突起部３２が、前記凹凸係合部３３の凸部３３ａを乗り越えて、この凸部３３ａに隣接する凹部３３ｂに係合するように動き、これに伴って、クリック感が生起する。
また、このクリック機構とロック機構は連動しているため、前記突起部３２が、凸部３３ａを乗り越えるのと同時に、ロックピン部２２ａの先端部は、最前方のロック用孔２０と二番目に前方のロック用孔２０との間を移動する。さらに、前記突起部３２が、凹部３３ｂに係合するのと同時に、ロックピン部２２ａの先端部は、二番目に前方のロック用孔２０に差し込まれることになる。
この時、前記ロック部材２２の連結部２２ｃは、前記付勢部材２３によって付勢されているため、前記シャフト部２２ｂを操作せずとも、前記ロックピン部２２ａを付勢部材２３の付勢力によって自動的にロック用孔２０に差し込むことができる。
【００７３】
このようにしてヘッドレスト本体５を後方に一段階回転させることができる。
ロックピン部２２ａを、二番目に前方のロック用孔２０から、三番目に前方のロック用孔２０（すなわち、後方から二番目のロック用孔２０）に差し込む場合も同様であり、この三番目に前方のロック用孔２０から、最後方のロック用孔２０に差し込む場合も同様の動作となる。
以上のようにして、ヘッドレスト本体５を前後方向に回動操作して、ヘッドレストを動作させることができる。
【００７４】
本実施の形態によれば、前記ロック部材２２のロックピン部２２ａは、前記ピン貫通孔２１を貫通した状態を保持しつつ、先端部が、前記複数のロック用孔２０…に抜き差しされるので、このロックピン部２２ａを、前記複数のロック用孔２０…のいずれかに差し込んだ状態ではヘッドレスト本体５の回動を停止させることができる。すなわち、前記ヘッドレスト本体５の回動をロックできる。
そして、前記ヘッドレスト本体５に加えられた外力は、前記ロックブラケット４に対するヘッドレスト本体５の回動をロックするロック部材２２に加えられる。前記ロックピン部２２ａとシャフト部２２ｂとは平行に配置されているので、これらシャフト部２２ｂの軸心と、ロックピン部２２ａの軸心とを結ぶ直線上に位置する連結部２２ｃを介して、前記シャフト部２２ｂとロックピン部２２ａとの間で外力の伝達が行われる。さらに、前記シャフト部２２ｂの軸心と、前記ロックピン部２２ａの軸心とを結ぶ直線の延長線上に横軸部１ｂの軸心が配置されているので、これら各軸心が一直線上に配置されることになる。すなわち、前記ヘッドレスト本体５に加えられた外力を、前記ロックブラケット４を介して一直線に横軸部１ｂに伝達できる。これによって、前記ヘッドレスト本体５に加えられた外力を、従来に比して確実かつ効率良く横軸部１ｂに伝達することが可能となる。
また、前記シャフト部２２ｂの軸心と、ロックピン部２２ａの軸心とを結ぶ直線の延長線上に配置された横軸部１ｂの軸心は、前記ヘッドレスト本体５の回動中心軸とされているため、前記ヘッドレスト本体５をどのような角度に傾斜させても、これら各軸心が一直線上に配置されるという位置関係は変わらないものとなる。したがって、前記ヘッドレスト本体５をどのような角度に傾斜させても、前記ヘッドレスト本体５に加えられた外力を、確実かつ効率良く横軸部１ｂに伝達することが可能となる。
【００７５】
また、前記複数のロック用孔２０…は、前記横軸部１ｂよりも前方に配置されているので、前記包囲部８に形成されるピン貫通孔２１と、前記横軸部１ｂとともに一直線上に配置されるシャフト部２２ｂおよびロックピン部２２ａを有するロック部材２２も、前記横軸部１ｂよりも前方に配置されることになる。しかも、前記ロックブラケット４は、前方に傾斜して横軸部１ｂに固定されている。これによって、例えばロックブラケット４が後方に傾斜し、前記複数のロック用孔２０…と、前記ピン貫通孔２１と、前記ロック部材２２とが横軸部１ｂよりも後方に配置される場合に比して、前記ヘッドレスト本体５に加えられた外力が後方に流れにくくなるので、前記ヘッドレスト本体５に加えられた外力を、前記横軸部１ｂに、より確実かつ効率良く伝達させることができる。
【００７６】
＜第２の実施の形態＞
次に、図面を参照して本発明の第２の実施の形態について説明する。なお、説明の便宜上、上述した第１の実施の形態とは異なる構成部分のみについて説明する。
【００７７】
図１２はヘッドレストの一例を示す分解斜視図である。
本実施の形態のヘッドレストは、ヘッドレストピラー１と、ロックブラケット４と、ヘッドレスト本体５０と、ロック機構と、クリック機構と、を備えている。
なお、本実施の形態のヘッドレストは、クッションパッドである樹脂を、型枠内で、前記ヘッドレスト本体５０と一体的になるように発泡成形させるものであり、このヘッドレスト本体５０は、樹脂が内部に浸入しないような構成となっている。
また、ヘッドレスト本体５０は、ヘッドレストピラー１の横軸部１ｂに対して前後方向に回動自在に取り付けられるものであり、乗員の頭部を受ける前面壁部５１と、背面壁部５２と、底面カバー部５３，５３と、を有している。
【００７８】
前記前面壁部５１および背面壁部５２は、図１２および図１３に示すように、これら前面壁部５１と背面壁部５２とで一組となるものであり、前記前面壁部５１の背面側に背面壁部５２を結合して組み合わせることで、これら前面壁部５１と背面壁部５２の内部に空洞ができるように構成されている。この空洞内には、前記前面壁部５１の背面側に設けられる包囲部８等の各部と、前記ヘッドレストピラー１の横軸部１ｂおよび一対の支柱１ａ，１ａの上端部とを収容し、被覆することができる。
なお、これら前面壁部５１および背面壁部５２との間には、互いに組み合わせて一体化した際の樹脂の浸入を防ぐためのシール手段が設けられている。
【００７９】
また、前面壁部５１および背面壁部５２の底面部５１ａ，５２ａには、前記底面カバー部５３，５３がそれぞれ差し込まれる差込口を形成するための差込口用切欠部５１ｂ，５２ｂが切欠形成されている。
差込口用切欠部５１ｂ，５２ｂも、これら差込口用切欠部５１ｂと差込口用切欠部５２ｂの２つで一組となるものであり、これら差込口用切欠部５１ｂと差込口用切欠部５２ｂとを組み合わせることで開口部とすることができ、この開口部を、前記底面カバー部５３，５３を差込可能な差込口とすることができる。
差込口は、前記ヘッドレストピラー１の一対の支柱１ａ，１ａに対応して、前記底面部５１ａ，５２ａの２ヶ所に配置されている。すなわち、前記差込口用切欠部５１ｂは、前記前面壁部５１の底面部５１ａの２ヶ所に形成されており、前記差込口用切欠部５２ｂは、前記背面壁部５２の底面部５２ａの２ヶ所に形成されている。
【００８０】
また、前面壁部５１および背面壁部５２の一側部には、ロック部材２２のシャフト部２２ｂの端部に取り付けられるボタン５５と、このボタン５５の周縁を装飾する装飾縁部５４とを取り付けるためのボタン取付部５１ｃ，５２ｃが、側方に突出するようにして形成されている。
これらボタン取付部５１ｃ，５２ｃの突出方向側端部には、前記装飾縁部５４およびボタン５５が差し込まれるボタン差込口を形成するためのボタン差込口用切欠部５１ｄ，５２ｄが形成されている。
ボタン差込口用切欠部５１ｄ，５２ｄも、これらボタン差込口用切欠部５１ｄとボタン差込口用切欠部５２ｄの２つで一組となるものであり、これらボタン差込口用切欠部５１ｄとボタン差込口用切欠部５２ｄとを組み合わせることで開口部とすることができ、この開口部を、前記装飾縁部５４およびボタン５５を差込可能なボタン差込口とすることができる。
【００８１】
前記前面壁部５１および背面壁部５２には、前記底面部５１ａ，５２ａに形成された底面カバー部５３，５３用の差込口と、前記ボタン取付部５１ｃ，５２ｃに形成されたボタン差込口とを除いて開口部は形成されない構成となっている。すなわち、第１の実施の形態とは異なり、開口部６ａは設けられていない状態となっている。
したがって、前記差込口およびボタン差込口からの樹脂の浸入を防ぐようにしてクッションパッドの成形を行うことによって、前面壁部５１と背面壁部５２との内部空洞部に樹脂が浸入することを防ぐことができる。
【００８２】
前記前面壁部５１の背面側には、図１３に示すように、補強部６ｂ，６ｂや抱持部６ｄ、取付部６ｆ、包囲部８、把持部９、保持部１０、ロック機構等が設けられている。
なお、本実施の形態においては、第１の実施の形態とは異なり、補強部６ｃや支持部６ｅを始めとする各部が設けられていないものとするが、適宜変更可能であることは言うまでもない。
また、本実施の形態においては、第１の実施の形態の挿入スリット７ａに該当するものはなく、前面壁部５１の左右側の壁部の後方への突出長さを短く設定することによって、ロック部材２２を取り付けやすいようにしている。
【００８３】
また、第１の実施の形態とは異なり、前記補強部６ｂ，６ｂや抱持部６ｄ、取付部６ｆ等の正面側に、凹部や開口部も設けられていないものとする。
なお、このように、前面壁部６には前記補強部６ｂ，６ｂや抱持部６ｄ、取付部６ｆ等の正面側に開口部や凹部はないとしたが、図１２に示すように、凹部５１ｅが形成されているものとする。本実施形態においては、この凹部５１ｅの背面側には、この凹部５１ｅに対応する凸部が形成されていないが、適宜、凸部を形成してもよい。このように、前面壁部５１に凹凸を形成することによって、前面壁部５１の剛性を向上できるので、好ましい。
【００８４】
本実施の形態の包囲部８は、第１の実施の形態の包囲部８と略同様の構成となっているが、上述のように前面壁部５１に補強部６ｃが設けられていない。このため、ロックピン部２２ａの先端部を挿通させるための挿通孔５６が、一対の補強リブ８ａ，８ａのうち、ピン貫通孔２１が形成される補強リブ８ａとは反対側の補強リブ８ａに形成されている。
この挿通孔５６は、前記ピン貫通孔２１と、前記包囲部８を介して連続するようにして配置されている。つまり、これらピン貫通孔２１と挿通孔５６との間に、ロックブラケット４の複数のロック用孔２０…が位置するように設定されており、これらピン貫通孔２１と、ロック用孔２０と、挿通孔５６とに対して同時に、ロックピン部２２ａが挿入されることになる。
また、前記前面壁部５１の正面側には、上述のように開口部６ａが設けられていないため、この包囲部８の前側に設けられるストッパー部８ｂはなく、前面壁部５１自体が、前記ロックブラケット４の前端４ａに当接するストッパーとして機能する。
【００８５】
本実施の形態の把持部９は、第１の実施の形態の把持部９と略同様の構成となっているが、上述のように前面壁部５１と背面壁部５２とは組み合わされるものであることから、他の部位よりも後方に突出する拡張部９ｂは、本実施の形態の把持部９には備えられていないものとする。
本実施の形態においては、第１の実施の形態で拡張部９ｂがあった部分は、開放部９ａであるスリットを後方に向かって開放する間隙とされており、ロックブラケット４の差し込みに支障がない状態となっている。
なお、本実施の形態の把持部９は、前記ヘッドレスト本体５０の前面壁部５１の背面側の下端部に設けられるとともに、左右側壁部と、これら左右側壁部の下端部に架設される下側壁部とによって構成された本体部を含んで構成されている。そして、この本体部に、前記横軸部１ｂおよびロックブラケット４を差込可能な形状のスリットが形成されており、このスリットが、前記開放部９ａとされている。
【００８６】
前記底面カバー部５３，５３は、図１２および図１４に示すように、互いに結合された状態の前記前面壁部５１と背面壁部５２との底面部５１ａ，５２ａに、前記ヘッドレストピラー１の一対の支柱１ａ，１ａの位置に対応して設けられるとともに、該支柱１ａ，１ａが挿通されるスリット５３ａ，５３ａが形成されたものである。
また、この底面カバー部５３は、前記スリット５３ａと、周壁部５３ｂと、鍔部５３ｃと、を備えている。
【００８７】
スリット５３ａは、前後方向に長くなる長孔状に形成されている。
このスリット５３ａが、前記前面壁部５１および背面壁部５２の底面部５１ａ，５２ａに形成されることによって、前記ヘッドレスト本体５０をスムーズに前後方向に回動させることができる。
【００８８】
周壁部５３ｂは、前記スリット５３ａの周縁に配置されるとともに、該スリット５３ａを形成するものであり、前記底面部５１ａ，５２ａに形成された差込口に差し込まれて嵌合される。
なお、この周壁部５３ｂには、図示はしないが、前記底面部５１ａ，５２ａに引っ掛かる爪部等の嵌合手段が設けられているものとする。
【００８９】
鍔部５３ｃは、前記周壁部５３ｂの下端部に一体形成されており、前記底面部５１ａ，５２ａに当接するものである。
すなわち、この鍔部５３ｃは、前記底面部５１ａ，５２ａに形成された差込口よりも大径となるように形成されており、底面カバー部５３が該差込口から、前面壁部５１と背面壁部５２との空洞部に没入することを防ぐことができる。
【００９０】
また、前記装飾縁部５４は、この装飾縁部５４周縁の鍔部５４ａが前記ボタン取付部５１ｃ，５２ｃに形成されたボタン差込口よりも大径に形成されたものであり、ボタン差込口に差し込まれるとともに嵌合されている。
なお、この装飾縁部５４には、前記ボタン取付部５１ｃ，５２ｃの内部に引っ掛かる爪部等の嵌合手段が設けられているものとする。
【００９１】
前記ボタン５５は、前記装飾縁部５４中央の装着孔部５４ｂに、該装着孔部５４ｂの延在方向に沿って進退自在に差し込まれている。
また、このボタン５５は、前記装飾縁部５４の装着孔部５４ｂ内で引っ掛かるストッパー板部５５ａを有している。これによって、装飾縁部５４から外側に露出する外側端面は、装飾縁部５４の鍔部５４ａの外側面よりも外側に突出しない構成となっている。
【００９２】
なお、前記ロック機構は、第１の実施の形態のロック機構と略同様の構成となっているが、前記ボタン５５の外側端面が、装飾縁部５４の鍔部５４ａの外側面よりも外側に突出しない構成となっているため、付勢ストッパー部２４は設けられていない。
すなわち、付勢ストッパー部２４がなくても、前記ストッパー板部５５ａが代わりに機能するようになっている。
【００９３】
前記クリック機構は、前記ヘッドレスト本体５０の回動に伴ってクリック感を生起するものである。
本実施の形態のクリック機構は、図１４に示すように、前記ヘッドレストピラー１の一対の支柱１ａ，１ａと、凹凸係合部６０と、を有している。
【００９４】
前記一対の支柱１ａ，１ａは、図１２および図１３に示すように、左右に離間して配置されており、これら一対の支柱１ａ，１ａの上端部間に前記横軸部１ｂが架設されるとともに一体形成されている。
本実施の形態のクリック機構としては、これら一対の支柱１ａ，１ａのうち、少なくとも一方の支柱１ａを用いる。
【００９５】
前記凹凸係合部６０は、図１４に示すように、前記一対の底面カバー部５３，５３のうち、少なくとも一方の底面カバー部５３のスリット５３ａ周縁部に対して設けられるとともに、前記少なくとも一方の支柱１ａが係合する複数の凹凸部６０ａ，６０ｂを前記ヘッドレスト本体５０の回動方向に沿って連続して形成してなるものである。
すなわち、この凹凸係合部６０は、前記底面カバー部５３の周壁部５３ｂのスリット５３ａ側面に設けられている。
【００９６】
凹部６０ｂは、前記支柱１ａの外周面に合わせて凹む曲面とされており、この曲面は、前記支柱１ａの延在方向に連続している。そして、前記支柱１ａの延在方向に沿って、この曲面である凹部６０ｂを係合できるようになっている。
また、凹部６０ｂは、図１４（ｂ）に示すように複数設けられており、これら複数の凹部６０ｂ…は、前記ヘッドレスト本体５０の傾斜角度に応じて段階的に傾斜するように配置されている。
凸部６０ａは、これら複数の凹部６０ｂ…間に複数配置されている。また、これら複数の凸部６０ａ…と複数の凹部６０ｂ…とは一体形成されている。
【００９７】
本実施の形態のクリック機構は、前記ヘッドレスト本体５０が前後方向に回動されることにより、前記少なくとも一方の底面カバー部５３に設けられた凹凸係合部６０が、前記少なくとも一方の支柱１ａに対してクリック感を伴いながら移動するように構成されている。すなわち、前記複数の凸部６０ａ…が、前記少なくとも一方の支柱１ａを乗り越え、前記凹部６０ｂが、前記少なくとも一方の支柱１ａに係合するように設定されている。
また、前記ロック機構によってヘッドレスト本体５０の回動にロックがかかる際に、前記複数の凸部６０ａ…が、前記少なくとも一方の支柱１ａを乗り越え、前記凹部６０ｂが、前記少なくとも一方の支柱１ａに係合するように設定されており、クリック機構とロック機構とを連動させることができる。
以上のようにしてクリック機構が構成されている。また、以上のようにしてヘッドレストが構成されている。
【００９８】
次に、ヘッドレスト本体５０を、ヘッドレストピラー１の横軸部１ｂに取り付ける方法について説明する。
まず、第１の実施の形態と同様に、また図１３に示すように、前記横軸部１ｂを把持部９によって把持するとともに、ロックブラケット４を包囲部８によって包囲できるように、ヘッドレスト本体５０の前面壁部５１を、前記ヘッドレストピラー１に装着させる。また、ロック部材２２や付勢部材２３、付勢部材３も取り付ける。
【００９９】
その後、前記装飾縁部５４およびボタン５５も、前記前面壁部５１のボタン取付部５１ｃのボタン差込口用切欠部５１ｄに嵌め込んでおく。
そして、前記背面壁部５２を、前記前面壁部５１に対して結合させるようにする。この時、背面壁部５２のボタン取付部５２ｃのボタン差込口用切欠部５２ｄを、前記前面壁部５１のボタン取付部５１ｃのボタン差込口用切欠部５１ｄと組み合わせる。これによって、前記装飾縁部５４およびボタン５５を、ボタン取付部５１ｃ，５２ｃに取り付けることができる。
【０１００】
次に、予め凹凸係合部６０が周壁部５３ｂのスリット５３ａ側に設けられた底面カバー部５３，５３を、前記前面壁部５１および背面壁部５２の底面部５１ａ，５２ａに取り付ける。すなわち、２つの差込口用切欠部５１ｂと、２つの差込口用切欠部と５２ｂを組み合わせることで形成された２つの差込口に、前記底面カバー部５３，５３をそれぞれ差し込んで嵌合する。
また、この時に、底面カバー部５３のスリット５３ａに、前記ヘッドレストピラー１の支柱１ａを挿通させるようにする。
以上のようにしてヘッドレスト本体５０を、前記ヘッドレストピラー１の横軸部１ｂに取り付けることができる。
【０１０１】
次に、以上のように構成されたヘッドレストの動作について説明する。
ヘッドレストの動作は、第１の実施の形態と同様に、前記ヘッドレストピラー１の横軸部１ｂに対して前後方向に回動自在に取り付けられたヘッドレスト本体５０の前後方向への回動に基づくものである。
なお、ヘッドレスト本体５０の前後方向への回動およびロック機構の動作は、第１の実施の形態と略同様であるため、説明を省略する。
【０１０２】
本実施の形態のヘッドレストの動作において、クリック機構は以下のように動作する。
すなわち、ヘッドレスト本体５０を前方に一段階回転させるに際し、ロックピン部２２ａが最後方のロック用孔２０に差し込まれている状態から、二番目に後方に位置するロック用孔２０に差し込む場合は、まず、前記シャフト部２２ｂのボタン５５が取り付けられた端部を押し込み、ロックピン部２２ａの先端部を、最後方のロック用孔２０から抜く。
続いて、ヘッドレスト本体５０を前方へ回転させる。
この時、図１４に示すクリック機構の凹凸係合部６０の凸部６０ａが、前記支柱１ａを乗り越えて、前記凹部６０ｂが、この支柱１ａに係合するように動き、これに伴って、クリック感が生起する。
また、このクリック機構とロック機構は連動しているため、前記凸部６０ａが支柱１ａを乗り越えるのと同時に、ロックピン部２２ａの先端部は、最後方のロック用孔２０と二番目に後方のロック用孔２０との間を移動する。さらに、前記凹部６０ｂが支柱１ａに係合するのと同時に、ロックピン部２２ａの先端部は、二番目に後方のロック用孔２０に差し込まれることになる。
【０１０３】
なお、本実施の形態では、ロックピン部２２ａが最後方のロック用孔２０に差し込まれている状態から、二番目に後方に位置するロック用孔２０に差し込む場合について説明している。
このような動作は、ロックピン部２２ａを、二番目に後方のロック用孔２０から、三番目に後方のロック用孔２０（すなわち、前方から二番目のロック用孔２０）に差し込む場合も同様であり、この三番目に後方のロック用孔２０から、最前方のロック用孔２０に差し込む場合も同様である。
【０１０４】
一方、ヘッドレスト本体５０を後方に一段階回転させるに際し、ロックピン部２２ａが最前方のロック用孔２０に差し込まれている状態から、二番目に前方に位置するロック用孔２０に差し込む場合は、まず、前記シャフト部２２ｂのボタン１１が取り付けられた端部を押し込み、ロックピン部２２ａの先端部を、最前方のロック用孔２０から抜く。
続いて、ヘッドレスト本体５を後方へ回転させる。
この時、図１４に示すクリック機構の凹凸係合部６０の凸部６０ａが、前記支柱１ａを乗り越えて、前記凹部６０ｂが、この支柱１ａに係合するように動き、これに伴って、クリック感が生起する。
また、このクリック機構とロック機構は連動しているため、前記凸部６０ａが支柱１ａを乗り越えるのと同時に、ロックピン部２２ａの先端部は、最前方のロック用孔２０と二番目に前方のロック用孔２０との間を移動する。さらに、前記凹部６０ｂが支柱１ａに係合するのと同時に、ロックピン部２２ａの先端部は、二番目に前方のロック用孔２０に差し込まれることになる。
【０１０５】
なお、本実施の形態では、ロックピン部２２ａが最前方のロック用孔２０に差し込まれている状態から、二番目に前方に位置するロック用孔２０に差し込む場合について説明している。
このような動作は、ロックピン部２２ａを、二番目に前方のロック用孔２０から、三番目に前方のロック用孔２０（すなわち、後方から二番目のロック用孔２０）に差し込む場合も同様であり、この三番目に前方のロック用孔２０から、最後方のロック用孔２０に差し込む場合も同様である。
以上のようにしてクリック機構を動作させることができる。
【０１０６】
本実施の形態によれば、第１の実施の形態と同じように、前記ヘッドレスト本体５０に加えられた外力を、前記ヘッドレストピラー１に対して確実かつ効率良く伝達することができるので、好ましい。
また、第１の実施の形態とは異なるクリック機構を採用しても、第１の実施の形態と同じように、ヘッドレスト本体５０を前後方向に回動させる際にクリック感を得ることができるので、好ましい。
【符号の説明】
【０１０７】
１  ヘッドレストピラー
１ａ  支柱
１ｂ  横軸部
３  付勢部材
４  ロックブラケット
５  ヘッドレスト本体
６  前面壁部
６ａ  開口部
７  周面壁部
８  包囲部
８ａ  補強リブ
８ｂ  ストッパー部
８ｃ  ストッパー部
８ｄ  差込口
９  把持部
９ａ  開放部
９ｄ  軸受け面
１０  保持部
１０ａ  支持部
１０ｂ  当接部
２０  ロック用孔
２１  ピン貫通孔
２２  ロック部材
２２ａ  ロックピン部
２２ｂ  シャフト部
２２ｃ  連結部
２３  付勢部材
３０  突起部
３１  凹凸係合部
３１ａ  凸部
３１ｂ  凹部
３２  突起部
３３  凹凸係合部
３３ａ  凸部
３３ｂ  凹部
５０  ヘッドレスト本体
５１  前面壁部
５１ａ  底面部
５１ｂ  差込口用切欠部
５２  背面壁部
５２ａ  底面部
５２ｂ  差込口用切欠部
５３  底面カバー部
５３ａ  スリット
５３ｂ  周壁部
５３ｃ  鍔部
６０  凹凸係合部
６０ａ  凸部
６０ｂ  凹部
【図１】
0005872718.tif 000002
【図２】
0005872718.tif 000003
【図３】
0005872718.tif 000004
【図４】
0005872718.tif 000005
【図５】
0005872718.tif 000006
【図６】
0005872718.tif 000007
【図７】
0005872718.tif 000008
【図８】
0005872718.tif 000009
【図９】
0005872718.tif 000010
【図１０】
0005872718.tif 000011
【図１１】
0005872718.tif 000012
【図１２】
0005872718.tif 000013
【図１３】
0005872718.tif 000014
【図１４】
0005872718.tif 000015